(57)【要約】      （修正有）【課題】携帯電話端末ハウジングのセラミックモジュール化構造を提供する。【解決手段】複数のセラミック片体を含み、該複数のセラミック片体は組み合わされ、携帯電話端末本体の外表面上に緊密に付着して携帯電話端末のハウジングの組成を完成することを特徴とする携帯電話端末ハウジングのセラミックモジュール化構造、又は、前記各セラミック片体は接着剤により携帯電話端末本体上に接着されることを特徴とする携帯電話端末ハウジングのセラミックモジュール化構造、又は、前記各セラミック片体は携帯電話端末本体の外表面上に嵌設されることを特徴とする携帯電話端末ハウジングのセラミックモジュール化構造。【選択図】図１
0003133395.tif 000002
【実用新案登録請求の範囲】
【請求項１】
複数のセラミック片体を含み、該複数のセラミック片体は組み合わされ、携帯電話端末本体の外表面上に緊密に付着し、こうして携帯電話端末のハウジングの組成を完成することを特徴とする携帯電話端末ハウジングのセラミックモジュール化構造。
【請求項２】
前記各セラミック片体は接着剤により携帯電話端末本体上に接着されることを特徴とする請求項１記載の携帯電話端末ハウジングのセラミックモジュール化構造。
【請求項３】
前記各セラミック片体は携帯電話端末本体の外表面上に嵌設されることを特徴とする請求項１記載の携帯電話端末ハウジングのセラミックモジュール化構造。
【考案の詳細な説明】
【技術分野】
【０００１】
本考案は一種の携帯電話端末ハウジングのセラミックモジュール化構造に関する。特に一種の多数のセラミック片体を含み、該多数のセラミック片体は組み合わされ、携帯電話端末本体の外表面上に緊密に付着し、こうして携帯電話端末のハウジングの組成を完成する携帯電話端末ハウジングのセラミックモジュール化構造に係る。
【背景技術】
【０００２】
無線通信は絶対的な利便性と機動性を備えるため、多くの使用者が携帯電話端末を生活の必需品と見なしており、ほぼ一人に一台の状態にまで普及している。一方、携帯電話端末は機能が日々向上、拡充しているだけでなく、流行や使用者の好みに応じて、外観上、造形上においても絶えず進化している。
現在、多くの携帯電話端末のハウジングはプラスチック製パネルで、金属ハウジングにより製造されるものもあり、こうして携帯電話端末の外観は様々な形状と色彩を備える。
しかし、プラスチック材料により製造される携帯電話端末ハウジングは材料の硬度が不足しているため、使用においてハウジング表面に傷跡が残り易く、長期の使用により著しく汚れてしまう。
同様に、金属材料により製造される携帯電話端末ハウジングもその外層は焼きつけ塗装層であるため、使用時に不注意でぶつければ塗装がはげ、外観の美観に影響を及ぼすという欠点がある。
上記欠点に対して、本考案人が実用新案申請第０９５２０５７３３号として以前申請した携帯電話端末のハウジングは中華民国特許局により実用新案特許を批准されている。該構造が掲示するハウジングは、セラミックを材料とし、単一部品式で携帯電話端末上に粘着するものである。セラミックは傷がつきにくいという特性を備え、またセラミック表面は光沢を備えるため、公知の携帯電話端末ハウジングの欠点を改善することができる。
しかし、該構造が掲示するハウジングは単一部品式であるため、その面積が極めて大きく、しかも厚みが極めて薄いため、焼結成型時にしばしば材料に２０〜３０％の収縮作用が起きてしまい、爆裂現象が置き易かった。このため、製品の歩留まりを上げることは難しく、コストを拡大させていた。
【特許文献１】中華民国実用新案申請第０９５２０５７３３号明細書
【考案の開示】
【考案が解決しようとする課題】
【０００３】
公知構造には以下の欠点があった。
すなわち公知の携帯電話端末ハウジングはプラスチック製、金属製共に欠点が存在するため、セラミックを材料とするハウジングが開発されたが、該構造は単一部品式であることから、面積は大きく厚みは薄くならざるを得ず、焼結成型時に爆裂現象が置き易かった。よって、製品の歩留まり向上とコスト低下が困難であった。
本考案は上記構造の問題点を解決した携帯電話端末ハウジングのセラミックモジュール化構造を提供するものである。
【課題を解決するための手段】
【０００４】
上記課題を解決するため、本考案は下記の携帯電話端末ハウジングのセラミックモジュール化構造を提供する。
それは主に携帯電話端末ハウジングのセラミックモジュール化構造を提供し、複数のセラミック片体を含み、該複数のセラミック片体は組み合わされ、携帯電話端末本体の外表面上に緊密に付着し、こうして携帯電話端末のハウジングの組成を完成し、該各セラミック片体は接着剤により携帯電話端末本体上に接着され、或いは該各セラミック片体を象嵌する方式で、携帯電話端末本体の外表面上に嵌設し、
またそれは携帯電話端末ハウジングのセラミックモジュール化構造を提供し、完全な携帯電話端末ハウジングの構成には、多数のセラミック片体を組み合わせ形成するため、各セラミック片体の面積を大幅に縮小することができ、これによりセラミック片体の製造時に発生する面積過大による爆裂現象を回避可能で、製品の歩留まりを向上させ、製造コストを低下させることができ、
さらにそれは携帯電話端末ハウジングのセラミックモジュール化構造を提供し、使用者の好みに応じて、各セラミック片体の色、模様を選択し、様々な色及び模様により、異なるタイプの携帯電話端末ハウジングを組成し、様々な使用者の好みとニーズに応えることができる携帯電話端末ハウジングのセラミックモジュール化構造を提供する。
【考案の効果】
【０００５】
上記のように、本考案では完全な携帯電話端末ハウジングの構成には、多数のセラミック片体を組み合わせ形成するため、各セラミック片体の面積を大幅に縮小することができ、これによりセラミック片体の製造時に発生する面積過大による爆裂現象を回避可能で、製品の歩留まりを向上させ、製造コストを低下させることができる。さらに本考案は使用者の好みに応じて、各セラミック片体の色、模様を選択し、様々な色及び模様により、異なるタイプの携帯電話端末ハウジングを組成し、様々な使用者の好みとニーズに応えることができる。
【考案を実施するための最良の形態】
【０００６】
図１、２、３に示すように、本考案携帯電話端末ハウジングのセラミックモジュール化構造は多数のセラミック片体１１を含み、該多数のセラミック片体１１は組み合わされ、携帯電話端末本体１２の外表面上に緊密に付着し、こうして完全な携帯電話端末のハウジングを構成する。
該セラミック片体１１は接着剤により該携帯電話端末本体１２の外表面上に接着し、或いは象嵌方式で該セラミック片体１１を該携帯電話端末本体１２の外表面上に緊密に嵌設することができる。
該セラミック片体１１は半円形、三角形、不規則形状などの任意の形状を呈することができ、本考案では各セラミック片体１１の形状を限定しない。
【０００７】
本考案携帯電話端末ハウジングのセラミックモジュール化構造の製造時には、該携帯電話端末ハウジングを構成する該各セラミック片体１１の表面は様々な色、或いは様々な花柄、花模様などを備えることができる。こうして使用者の好みに応じて、任意に組合わせることができる。
例えば、相同色の該各セラミック片体１１を組み合わせ該携帯電話端末本体１２上に緊密に接着し、単一色系の完成された携帯電話端末ハウジングを組成することができ、或いは該各セラミック片体１１は異なる色とし、該携帯電話端末本体１２上において多種の色彩の完成された携帯電話端末ハウジングを組成することもできる。こうして携帯電話端末外観を多様に変化させ、様々な使用者の好みに合わせることができる。
【０００８】
本考案携帯電話端末ハウジングのセラミックモジュール化構造は、多数のセラミック片体１１を組み合わせ、完成された携帯電話端末ハウジングを組成するため、該各セラミック片体１１の面積を大幅に縮小することができる。このため、焼結製造時の爆裂現象の発生を効果的に回避可能で、製品の歩留まりを大きく向上させ、製造コストを低下させることができる。
本考案が掲示する構造、形状は、本考案の精神及び範疇の範囲内で修飾、応用を加えることができ、したがって本考案は限定するものではない。
【図面の簡単な説明】
【０００９】
【図１】本考案と携帯電話端末本体の組合わせ指示図である。
【図２】本考案を携帯電話端末本体上に緊密に接着した後の指示図である。
【図３】本考案の平面組み立て指示図である。
【符号の説明】
【００１０】
１１  セラミック片体
１２  携帯電話端末本体
【図１】
0003133395.tif 000003
【図２】
0003133395.tif 000004
【図３】
0003133395.tif 000005